(57)【要約】    【課題】  記録紙等の記録シートに搭載されたＩＣチップにページ順を示す情報を記録する場合において、適切にページ順を管理することができる画像読取装置及び複写機を提供する。    【解決手段】  ＡＤＦ１０で搬送される記録シートに搭載されたＩＣチップに記録されたページ情報を、ＩＣチップ読み取り部１１１を介してページ情報取得部３０１が取得し、ページ順判定部３０２が、取得したページ情報に基づいて、記録シートが、ＩＣチップに記録されたページ順に並んでいるか否かを判定する。記録シートがＩＣチップに記録されたページ順に並んでいない場合に、ページ順制御部３０５は、ＩＣチップ書込み部１１２を介して、ＩＣチップに記録されたページ情報を、ＡＤＦ１０での読み取り順を示す内容に書き換えるように制御する。【選択図】          図４
2007028307.tif 000002
【特許請求の範囲】
【請求項１】
記録シートを順次読み取る読み取り手段と、
記録シートに搭載されたＩＣチップに記録されたページ順を示す情報を、前記読み取り手段による読み取り順に順次取得するページ情報取得手段と、
取得した情報に基づいて、記録シートが、ＩＣチップに記録されたページ順に並んでいるか否かを判定する判定手段と、
前記ＩＣチップに情報を書き込む情報書込み手段と、
前記判定手段によりページ順に並んでいないと判定された場合に、前記情報書込み手段により、前記ページ順を示す情報を、前記読み取り順を示す内容に書き換えるように制御する書込み制御手段とを備える
ことを特徴とする画像読取装置。
【請求項２】
前記画像読取装置は、さらに、
前記判定手段によりページ順に並んでいないと判定された場合に、その旨をユーザに示す報知手段を備える
ことを特徴とする請求項１に記載の画像読取装置。
【請求項３】
前記画像読取装置は、さらに、
ユーザによる、前記ページ順を示す情報を書き換えるか否かの選択入力を受け付ける選択受付手段を備え、
前記書込み制御手段は、
ユーザにより情報を書き換える旨の選択入力がなされた場合に、前記情報書込手段により、前記ページ順を示す情報を、前記読み取り順を示す内容に書き換えるように制御する
ことを特徴とする請求項１又は２に記載の画像読取装置。
【請求項４】
前記画像読取装置は、
前記読み取り手段にて読み取りが終了した記録シートを一旦保管する原稿一時保管部を備え、
前記書込み制御手段は、
前記読み取り手段により全ての記録シートの読み取りが終了した後に、前記原稿一時保管部から１枚ずつ排出される記録シートに搭載されたＩＣチップに、前記情報書込み手段が順次情報を書き込むように制御する
ことを特徴とする請求項１から３のいずれかに記載の画像読取装置。
【請求項５】
記録シート上の画像を順次読み取ってページごとの画像データを得る画像読み取り手段と、得られた画像データに基づいて、他の記録シート上に画像を形成する画像形成手段と、画像形成手段による画像形成のページ順を制御するプリント制御手段とを備える複写機において、
記録シートに搭載されたＩＣチップに記録されたページ順を示す情報を、前記画像読み取り手段による読み取り順に順次取得するページ情報取得手段と、
取得した情報に基づいて、記録シートが、ＩＣチップに記録されたページ順に並んでいるか否かを判定する判定手段と、
前記ＩＣチップに情報を書き込む情報書込み手段と、
前記判定手段によりページ順に並んでいないと判定された場合に、その旨をユーザに示す報知手段と、
ユーザによる、前記読み取り順にプリントするか、前記ページ順を示す情報により示されるページ順でプリントするかの選択入力を受け付ける選択受付手段と、
前記読み取り順にプリントすることが選択入力された場合に、前記ページ順を示す情報を、前記読み取り順を示す内容に書き換えるように、前記情報書込み手段を制御する書込み制御手段とを備え、
前記プリント制御手段は、
前記読み取り順にプリントすることが選択入力された場合には、前記読み取り順に画像が形成されるように制御し、前記ページ順を示す情報により示されるページ順でプリントすることが選択入力された場合には、前記ページ順を示す情報により示されるページ順で画像が形成されるように制御する
ことを特徴とする複写機。
【請求項６】
前記選択受付手段は、
前記読み取り順にプリントするが、ＩＣチップに記録されたページ情報を書き換えない旨の選択入力を受け付け、
前記書込み制御手段は、
当該選択入力を受け付けた場合には、前記ページ順を示す情報を書き換えないように制御する
ことを特徴とする請求項５に記載の複写機。
【請求項７】
前記複写機は、
前記画像読み取り手段にて読み取りが終了した記録シートを一旦保管する原稿一時保管部を備え、
前記書込み制御手段は、
前記画像読み取り手段により全ての記録シートの読み取りが終了した後に、前記原稿一時保管部から１枚ずつ排出される記録シートに搭載されたＩＣチップに、前記情報書込み手段が順次情報を書き込むように制御する
ことを特徴とする請求項５又は６に記載の複写機。
【発明の詳細な説明】
【技術分野】
【０００１】
本発明は、画像読取装置及び複写機に関し、特に、ＩＣチップが搭載された記録紙等の記録シートを読み取る画像読取装置、及び読み取った画像を他の記録シート上に形成する複写機に関する。
【背景技術】
【０００２】
近時、非接触状態でデータの読み出し、書き込みが可能なＩＣチップの小型化、低価格化が進行し、例えばクレジットカードのように長期にわたって使用されるわけでない入場券などにも、０．４ｍｍ角の超小型ＩＣチップが埋め込まれるようになっている（非特許文献１参照）。プリンタでの印刷対象であり、かつ、スキャナ等の画像読取装置で読み取られる対象である記録紙等の記録シートにＩＣチップを埋め込んだものが広く普及する光景も現実味を帯びているところである。
【０００３】
ＩＣチップを原稿用紙に付した場合の画像処理システムの一例として、特許文献１には、ＩＣチップに、所定の画像の領域を示す情報とその画像の属性を記録しておき、原稿に表示された画像に対して文字認識処理を行う場合、ＩＣチップに記録された情報を参照して、文字が表示される領域を分離する技術が開示されている。
【０００４】
【特許文献１】特開２００４−８８５８５号公報
【０００５】
【特許文献２】特開平１０−２２８４７０号公報
【０００６】
【非特許文献１】“愛・地球博、ＩＣチップ入り入場券について”、［online］、［平成１７年７月５日検索］、インターネット <URL：http://www.expo2005.or.jp/jp/T0/T4/T4.1/T4.1.3/index.html>
【発明の開示】
【発明が解決しようとする課題】
【０００７】
読み取り対象である原稿に埋め込まれたＩＣチップにページ番号を書き込んでおけば、ユーザがいちいち原稿の順番を気にする必要がなく、原稿をランダムに寄せ集めた場合でも容易にページ番号順にプリントすることができる。これは、特に出版物の乱丁防止に非常に有効である。
【０００８】
しかしながら、ユーザや利用目的によっては、ある程度永続的に原稿の並び順を変更したい場合がある。例えば少年野球チームのパンフレットを作成する場合、打順を変更した後、変更後の打順で固定される場合がある。
【０００９】
この際、以前にプリントして用意したパンフレットが配布終了となり、変更後の打順で固定してからしばらく後にパンフレットを増刷した場合、ＩＣチップに書き込まれたページ番号が古く、古い打順のページ順でプリントされてしまうと、プリント後の修正が非常に煩雑であるという問題点があった。
【００１０】
本発明は係る問題点に鑑みてなされたものであって、記録紙等の記録シートに搭載されたＩＣチップにページ順を示す情報を記録する場合において、適切にページ順を管理することができる画像読取装置及び複写機を提供することを目的としている。
【課題を解決するための手段】
【００１１】
上記の問題点を解決するために、本発明に係る画像読取装置は、記録シートを順次読み取る読み取り手段と、記録シートに搭載されたＩＣチップに記録されたページ順を示す情報を、前記読み取り手段による読み取り順に順次取得するページ情報取得手段と、取得した情報に基づいて、記録シートが、ＩＣチップに記録されたページ順に並んでいるか否かを判定する判定手段と、前記ＩＣチップに情報を書き込む情報書込み手段と、前記判定手段によりページ順に並んでいないと判定された場合に、前記情報書込み手段により、前記ページ順を示す情報を、前記読み取り順を示す内容に書き換えるように制御する書込み制御手段とを備えることを特徴としている。
【００１２】
この構成では、記録シートが、ＩＣチップに記録されたページ順に並んでいない場合に、ＩＣチップに記録された情報を書き換える。そのため、適切にページ順を管理することができる。なお、ページ順を示す情報はページ番号に限らず、他の形式でも構わない。
【００１３】
なお、前記画像読取装置は、さらに、前記判定手段によりページ順に並んでいないと判定された場合に、その旨をユーザに示す報知手段を備えることが好ましい。報知手段はディスプレイ等の表示手段に限らず、ＬＥＤの発光や音声出力等、種々の方法を用いることができる。
【００１４】
前記画像読取装置は、さらに、ユーザによる、前記ページ順を示す情報を書き換えるか否かの選択入力を受け付ける選択受付手段を備え、前記書込み制御手段は、ユーザにより情報を書き換える旨の選択入力がなされた場合に、前記情報書込手段により、前記ページ順を示す情報を、前記読み取り順を示す内容に書き換えるように制御する構成とすることが好ましい。一時的にＩＣチップに記録されたページ順と異なるページ順で記録シートを読み取りたい場合もあるからである。
【００１５】
前記画像読取装置は、前記読み取り手段にて読み取りが終了した記録シートを一旦保管する原稿一時保管部を備え、前記書込み制御手段は、前記読み取り手段により全ての記録シートの読み取りが終了した後に、前記原稿一時保管部から１枚ずつ排出される記録シートに搭載されたＩＣチップに、前記情報書込み手段が順次情報を書き込むように制御する構成とすると、全ての記録シートを一旦読み取った後にＩＣチップに記録された情報を書き換えることができ、より柔軟なページ順の管理が可能となる。
【００１６】
本発明に複写機は、記録シート上の画像を順次読み取ってページごとの画像データを得る画像読み取り手段と、得られた画像データに基づいて、他の記録シート上に画像を形成する画像形成手段と、画像形成手段による画像形成のページ順を制御するプリント制御手段とを備える複写機において、記録シートに搭載されたＩＣチップに記録されたページ順を示す情報を、前記画像読み取り手段による読み取り順に順次取得するページ情報取得手段と、取得した情報に基づいて、記録シートが、ＩＣチップに記録されたページ順に並んでいるか否かを判定する判定手段と、前記ＩＣチップに情報を書き込む情報書込み手段と、前記判定手段によりページ順に並んでいないと判定された場合に、その旨をユーザに示す報知手段と、ユーザによる、前記読み取り順にプリントするか、前記ページ順を示す情報により示されるページ順でプリントするかの選択入力を受け付ける選択受付手段と、前記読み取り順にプリントすることが選択入力された場合に、前記ページ順を示す情報を、前記読み取り順を示す内容に書き換えるように、前記情報書込み手段を制御する書込み制御手段とを備え、前記プリント制御手段は、前記読み取り順にプリントすることが選択入力された場合には、前記読み取り順に画像が形成されるように制御し、前記ページ順を示す情報により示されるページ順でプリントすることが選択入力された場合には、前記ページ順を示す情報により示されるページ順で画像が形成されるように制御することを特徴としている。
【００１７】
本発明の複写機の構成では、記録シートの読み取り順がＩＣチップに記録されたページ順と異なる場合に、ＩＣチップに記録されたページ順にプリントするか、読み取り順にプリントするかを選択することができる。そして、読み取り順にプリントする場合にＩＣチップに記録された情報を書き換えるので、その後、古いページ順でプリントされることを防止することができる。
【００１８】
前記選択受付手段は、前記読み取り順にプリントするが、ＩＣチップに記録されたページ情報を書き換えない旨の選択入力を受け付け、前記書込み制御手段は、当該選択入力を受け付けた場合には、前記ページ順を示す情報を書き換えないように制御する構成とすると、一時的にＩＣチップに記録されたページ順と異なるページ順でプリントしたい場合に好適である。
【００１９】
前記複写機は、前記画像読み取り手段にて読み取りが終了した記録シートを一旦保管する原稿一時保管部を備え、前記書込み制御手段は、前記画像読み取り手段により全ての記録シートの読み取りが終了した後に、前記原稿一時保管部から１枚ずつ排出される記録シートに搭載されたＩＣチップに、前記情報書込み手段が順次情報を書き込むように制御する構成とすると、全ての記録シートを一旦読み取った後でＩＣチップに記録された情報を書き換えることができ、より柔軟なページ順の管理が可能となる。
【発明の効果】
【００２０】
本発明に係る画像読取装置等によると、記録シートに埋め込まれたＩＣチップにページ順を示す情報を記録する場合において、読み取られた記録シートが、ＩＣチップに記録されたページ順に並んでいない場合にＩＣチップの記録内容を書き換えるので、誤って古いページ順にプリントされてしまうという事態の発生を抑制することができるという効果を奏する。
【発明を実施するための最良の形態】
【００２１】
以下、本発明の実施の形態について図面を参照しながら説明する。なお、本実施の形態では、本発明に係る画像読取装置を搭載した複写機を例として説明する。
（１）複写機１００の構成
【００２２】
以下、本実施の形態の複写機１００の構成について説明する。図１は、複写機１００の全体構成を示す概略断面図である。複写機１００は、自動原稿搬送装置（以下、「ＡＤＦ」という。）１０、スキャナ部３０、制御部４０、プリンタ部５０、給紙部７０を含んでいる。なお、複写機１００の筐体上部には、ユーザインタフェースとしての操作パネル部１５０が配されている。操作パネル１５０には、数字などを入力するための複数のキーや、複写の開始（原稿の読み取りの開始）を指示するスタートキーなどが配された操作部１５１、及び、ユーザに対してメッセージや指示を与える画面や、ユーザが処理内容などを入力するための画面が表示される液晶タッチパネル１５２が設けられている。
【００２３】
ＡＤＦ１０は、原稿を自動的にスキャナ部３０に搬送する。まず、原稿トレイ１１上に載置された原稿がプラテンガラス３１上の原稿読み取り位置まで搬送される。原稿読み取り位置に搬送された原稿はスキャナ３２によりスキャンされた後、再び、搬送ベルト１２により図の右方向に送られ、最終的に原稿排紙トレイ１３上に排出される。
【００２４】
なお、本実施の形態のＡＤＦ１０には、ＩＣチップ読み取り部１１１及びＩＣチップ書込み部１１２が設けられている。ＩＣチップ読み取り部１１１は、例えば図３に示されるように原稿Ｐに搭載されたＩＣチップ９０（サイズは同図に示されたものに限定されない。また、搭載方法は貼付、埋込などいずれでもよく、特に限定されない。）から、ＩＣチップ９０に記録された情報を読み取る。ＩＣチップ書込み部１１２はＩＣチップ９０に情報を書き込む。本実施の形態ではＩＣチップ９０にページ順を示す情報（以下、「ページ情報」という。）が記憶される。ＩＣチップ９０への情報の読み書きは、非接触状態にてＩＣチップ９０との間で電波の送受信を行うことにより実現される。通常ＩＣチップ９０には電池等の電源が搭載されておらず、送信される電波によってＩＣチップ９０の駆動電力が供給される。
【００２５】
スキャナ部３０は、プラテンガラス３１上の原稿読み取り位置に搬送された原稿の画像を光学的に読み取る。スキャナ部３０は、スキャナ３２やＣＣＤセンサ３８、スキャナモータＭ２などから構成される。スキャナ３２には、露光ランプ３３と、当該露光ランプ３３の照射による原稿からの反射光をプラテンガラス３１に平行な方向に光路変更するミラー３４が設けられ、スキャナモータＭ２の駆動で図の矢印ａ方向に移動することによりプラテンガラス３１上の原稿をスキャンする。原稿からの反射光はミラー３４に反射された後、さらにミラー３５、３６およびレンズ３７を介してＣＣＤセンサ３８まで導かれ、ここで電気信号に変換されて画像信号が生成される。
【００２６】
なお、生成された画像信号は、画像信号処理部３９においてＡ／Ｄ変換されてデジタル信号となり、さらにシェーディング補正や濃度変換処理等の公知の画像処理を施された後、１ページごとの原稿画像データとしてメモリユニット４１に格納される。メモリユニット４１に格納された原稿画像データは、必要に応じて、プリントページ順制御部３００にてページ順の変更処理がなされた後、印字処理部４２へと送られる。印字処理部４２は、レーザダイオード（ＬＤ）５１の駆動信号を生成する。制御部４０は、印字処理部４２及びプリントページ順制御部３００を含んでいる。プリンタ部５０は、生成された駆動信号に基づいて画像形成を行う。
【００２７】
プリンタ部５０は、公知の電子写真方式により記録シート上に画像を形成するものである。印字処理部４２はＬＤ５１の駆動信号を生成し、当該駆動信号に基づいてＬＤ５１を駆動させて、レーザ光を出射させる。レーザ光は、所定の角速度で回転するポリゴンミラー５２側面のミラー面で反射され、ｆθレンズ５３、ミラー５４、５５を介して、矢印ｂ方向に回転駆動される感光体ドラム５６の表面を露光走査する。
【００２８】
この感光体ドラム５６の周辺には、クリーニング部５７、イレーサランプ（図示せず）、帯電チャージャ５８、現像器５９が設けられているが、これらの動作については詳細な説明を省略する。給紙部７０には、２つのカセット７１、７２が設けられており、上記感光体ドラム５６の露光および現像の動作と同期して、必要なサイズの記録シートが、カセット７１、７２のいずれかから給紙される。給紙された記録シートは、感光体ドラム５６の下方に搬送され、感光体ドラム５６表面に形成されたトナー像が当該記録シート表面に転写される。
【００２９】
その後、記録シートは感光体ドラム５６の表面から分離され、搬送ベルト６２により定着部６３へと搬送される。定着部６３において、記録シート表面に転写されたトナー像が定着される。定着後の記録シートは、排紙トレイ６６上に排出される。なお、以上のような用紙搬送、及び感光体ドラム５６の駆動はメインモータＭ１にて制御される。
【００３０】
図２は、本実施の形態の複写機１００におけるハードウェア構成の一例を示す図である。同図に示されるように、ＡＤＦ１０、スキャナ部３０、プリンタ部５０、給紙部７０等の各部（メインモータＭ１、スキャナモータＭ２を含む。）の動作、液晶タッチパネル１５２への表示等はＣＰＵ２０１により制御される。また、ユーザによる操作部１５１、液晶タッチパネル１５２への入力はＣＰＵ２０１へと入力される。ＣＰＵ２０１には、ＲＡＭ２１０、ＲＯＭ２２０、およびハードディスク２３０などの各種記憶装置が接続されている。各部の制御は、ＲＯＭ２２０に記憶されたプログラム２２１、ハードディスク２３０に格納され、ＲＡＭ２１０にロードされたプログラム２１１等の各プログラムがＣＰＵ２０１上で動作することにより実現される。ＲＯＭ２２０若しくはＲＡＭ２１０として不揮発性の書き換え可能な半導体メモリを用いることもできる。
【００３１】
（３）プリントページ順制御部３００の構成
次に、プリントページ順制御部３００の構成について説明する。図４は、プリントページ順制御部３００の機能的構成について説明するためのブロック図である。プリントページ順制御部３００は、ページ情報取得部３０１、ページ順判定部３０２、メッセージ報知制御部３０３、選択受付部３０４、ページ順制御部３０５を備えている。これらプリントページ順制御部３００の各部の処理もＣＰＵ２０１上でプログラムが動作することにより実現される。もっとも専用のハードウェアを用いることも可能である。
【００３２】
前記したように本実施の形態では原稿中に搭載されたＩＣチップ９０にページ情報が記憶されている。ページ情報取得部３０１は、一枚ずつ搬送される原稿に搭載されたＩＣチップ９０から順次ページ情報を取得する。ＩＣチップ読み取り部１１１は、ＩＣチップ９０が通過する位置に所定の波長の電波を送信することでＩＣチップ９０に駆動電力を供給するとともに、ＩＣチップ９０から送信されてきた電波を受信し、復調することによりＩＣチップ９０に記録された情報を読み取ることができる。ページ情報取得部３０１は、送信されてきた情報からページ情報を取得する。
【００３３】
ページ順判定部３０２は、スキャナ部３０で順次読み取られる原稿について、原稿の読み取り順とＩＣチップ９０に記憶されているページ情報により示されるページ順とが一致しているか否かを判定する。メッセージ報知制御部３０３は、読み取り順とページ情報により示されるページ順とが一致していない場合に、液晶タッチパネル１５２にメッセージを表示させる。例えば、ページ順がページ情報と一致していない旨のメッセージとともに、スキャナ部３０での読み取り順にプリントするか、ＩＣチップ９０に記憶されたページ順でプリントするかの選択を促す画面を表示させる。
【００３４】
選択受付部３０４は、液晶タッチパネル１５２から入力されたユーザの選択入力を受け付ける。ページ順制御部３０５は、ＩＣチップ９０に記憶されたページ順でプリントする旨の選択がなされた場合に、プリンタ部５０でプリントするページ順を、読み取り順から変更するように制御する一方、スキャナ部３０での読み取り順にプリントする場合には、ＩＣチップ書込み部１１２を介して、ＩＣチップ９０内のページ情報を書き換えるように制御する。なお、ユーザによる選択入力として、スキャナ部３０での読み取り順にプリントするが、ＩＣチップ９０の記録内容は書き換えないという選択も可能とすることができ、その場合には、ＩＣチップ９０内の情報は書き換えることなく、スキャナ部３０での読み取り順にプリントすることもできる。
【００３５】
（４）処理内容
以下、本実施の形態におけるＣＰＵ２０１の具体的な処理内容について説明する。図５は、処理内容の一例について説明するためのフローチャートである。
ページ順制御処理においては、まず、ＡＤＦ１０により、原稿を１枚ずつ搬送してスキャナ部３０で読み取る（Ｓ１０１）。その際に、ページ情報取得部３０１が、読み取られた１枚の原稿に搭載されたＩＣチップ９０から情報を取得する（Ｓ１０２）。
【００３６】
ページ情報を取得できなかった場合（Ｓ１０２：ＮＯ）、そのままプリント処理（Ｓ１０９）へと進む。ページ情報を取得できない場合とは、原稿にＩＣチップ９０が搭載されていない場合や、ＩＣチップ９０にページ情報が記録されていない場合が考えられる。プリント処理では、プリンタ部５０や給紙部７０などの動作が制御され、原稿の読み取り順に、順次プリント処理が行われる。
【００３７】
なお、フローチャート上での詳細な図示は省略しているが、本実施の形態では、最初の原稿からページ情報が取得できなかった場合、例えばページ情報無しのフラグなど、ページ情報による制御を行わない旨を示すフラグをセットする。このフラグがセットされている場合、以後の原稿についてはページ情報の取得以後の処理を省略し、スキャナ部３０での読み取り順に順次プリント処理を行う。
【００３８】
ページ情報が取得された場合（Ｓ１０２：ＹＥＳ）、ページ順判定部３０２が、ページ情報により示されるページ順とスキャナ部３０での読み取り順とが一致しているか否かを判定する（Ｓ１０３）。この判定は、例えば読み取られた原稿の枚数をカウントしておき、読み取られた原稿の枚数が、取得されたページ情報により示されるページ番号と一致するか否かを順次比較することにより行うことができる。ページ情報により示されるページ順と読み取り順とが一致している場合（Ｓ１０３：ＹＥＳ）、そのままプリント処理（Ｓ１０９）へと進み、順次プリント処理を行う。
【００３９】
原稿の読み取り順とページ情報により示されるページ順とが一致しないことが検出された場合（Ｓ１０３：ＮＯ）、具体的には、読み取った原稿の枚数と、ページ情報により示されるページ順とが一致しないことが検出された場合、メッセージ報知制御部３０３が液晶タッチパネル１５２に、プリント順序の選択を促すメッセージ画面を表示する（Ｓ１０４）。図６は、メッセージが表示された画面の一例を示す図である。
【００４０】
図６の画面において、ユーザは、今回の原稿の並び順（スキャナ部３０での読み取り順）にプリントするか（ボタン１５２１が押下された場合）、原稿に搭載されたＩＣチップ９０に記録されたページ情報により示されたページ順にプリントするか（ボタン１５２２が押下された場合）の選択を入力することができる。選択受付部３０４が液晶タッチパネル１５２からユーザの選択入力を受け付ける。なお、所定の制限時間が経過した場合、初期設定（例えば読み取り順にプリント）に従ってプリントされるようにしてもよい。
【００４１】
図５のフローチャートに戻って、ボタン１５２２が押下された場合、即ち、ページ情報に従うページ順でプリントする旨が選択された場合には（Ｓ１０５：ＮＯ）、ページ順制御部３０５がページ順の並び替え処理を行う（Ｓ１０６）。具体的には、読み取られた原稿をすぐにプリントせずに順次メモリユニット４１に蓄積し、ページ情報に従うページ順で印字処理部４２へ送るように制御する。この際、必ずしも全ての原稿が読み取られるまで待つ必要はなく、ページ情報により次のページである旨が示される原稿については、読み取られた後、すぐに印字処理部４２へ送るようにして構わない。
【００４２】
図６の画面のボタン１５２１が押下された場合、即ち、読み取り順にプリントする旨が選択された場合には（Ｓ１０５：ＹＥＳ）、メッセージ報知制御部３０３が、液晶タッチパネル１５２に、ＩＣチップに記録されたページ情報を書き換えるか否かの選択を促すメッセージ画面を表示する。図７は、この際に表示される画面の一例を示す図である。
【００４３】
図７の画面において、ユーザは、ＩＣチップ９０に記録されたページ情報を今回の原稿の並び順（読み取り順）に書き換えるか（ボタン１５２３が押下された場合）、ページ情報を書き換えないか（ボタン１５２４が押下された場合）の選択を入力することができる。選択受付部３０４が液晶タッチパネル１５２からユーザの選択入力を受け付ける。所定の制限時間が経過した場合、初期設定（例えば書き換えない）に従って処理するようにしてもよい。
【００４４】
図７の画面のボタン１５２３が押下された場合、即ち、ページ情報を書き換える旨が選択された場合には（Ｓ１０７：ＹＥＳ）、ページ順制御部３０５が、ＩＣチップ書込み部１１２を介して、ページ情報の書き換えを行うように制御する（Ｓ１０８）。一方、ボタン１５２４が押下された場合には（Ｓ１０７：ＮＯ）、ページ情報の書き換えを行わずに、プリント処理へと進む（Ｓ１０９）。なお、フローチャートでは詳細な図示を省略しているが、ページ情報の書き換えを行う旨の選択がなされた場合、ページ番号書き換えを示すフラグをセットし、以後の原稿については、ステップＳ１０４以降のメッセージ表示処理等をスキップして、順次ページ情報の書き換えを行うようにする。
【００４５】
ＡＤＦ１０に積載された全ての原稿についてプリント処理が終了すると（Ｓ１１０：ＹＥＳ）、ページ順制御処理を終了し、複写機１００を制御するメインプログラムへとリターンする。なお、液晶タッチパネル１５２に表示されるメッセージ画面について、上記実施の形態では、図６の画面及び図７の画面を段階的に表示するようにしたが、例えば図８に示されるように、両者を統合した画面を表示するようにしてもよい。
【００４６】
（変形例）
以上、本発明の実施の形態について説明したが、本発明の内容が上記実施の形態において説明された具体例によって限定されないことは勿論であり、例えば、以下のような変形例も考えられる。
【００４７】
（１）上記実施の形態では、スキャナ部３０による原稿の読み取り前にＩＣチップ読み取り部１１１でページ情報を読み取り、１枚ずつの原稿について、読み取り終了後に順次ＩＣチップ書込み部１１２でページ情報の書き換えを行う構成としたが、他にも、例えば図９に一例が示されるような構成も可能である。同図９は、本変形例におけるＡＤＦ１０の構成の一例を示す図である。
【００４８】
同図の例では、原稿一時保管部１３１、原稿搬送部１３２及び原稿排出トレイ１３３を設け、原稿搬送部１３２内にＩＣチップ書込み部１１２を設けている。スキャナ部３０で読み取られた原稿は原稿一時保管部１３１に一旦保管され、全ての原稿の読み取りが終了した後、再度原稿を１枚ずつ原稿搬送部１３２で矢印ｃ方向に搬送して原稿排出トレイ１３３上に排出する構成となっている。
【００４９】
そして、原稿搬送部１３２を搬送しているときに必要に応じてＩＣチップ９０のページ情報の書き換えを行う。この構成では、例えばメッセージ画面を全ての原稿の読み取りが終了した後に表示することができる他、ＩＣチップ９０を搭載していない原稿や、ページ情報が記録されていない原稿などが混在している場合に、例えばＩＣチップが搭載された原稿のみに順次ページ情報を記録するなど、より柔軟なページ順管理を行うことが可能となる。
【００５０】
（２）ページ順を示す情報としてＩＣチップ９０に記録される情報はページ番号に限らず、ページ順を示すことが可能な情報であれば、順序を示すアルファベット、「イロハ」等のカナなど、その形態は任意である。もっとも、当該情報を取得する読み取り装置の側では、当該情報がページ順を示すことを認識することが必要である。また、書き換えに際しては、例えば一律にページ番号に書き換えることも可能であるが、ページ情報の形態に応じて書き換え内容を制御することが好ましい。
【００５１】
（３）上記実施の形態では、最初に読み取られた原稿からページ情報が取得できなかった場合、ページ情報による制御を行わない旨を示すフラグをセットし、以後の原稿については読み取り順に順次プリント処理を行うようにしたが、ページ情報は取得できないもののＩＣチップが搭載されていることが検出された場合には、ページ情報を書き込むか否かの選択入力を促すメッセージを表示することもできる。そして、ユーザからページ情報を書き込む旨の選択入力がされた場合、読み取り順にページ番号を記録するようにしてもよい。
【産業上の利用可能性】
【００５２】
本発明は、例えば、画像読取装置、複写機等に適用することができる。
【図面の簡単な説明】
【００５３】
【図１】複写機１００の全体構成を示す概略断面図である。
【図２】複写機１００におけるハードウェア構成の一例を示す図である。
【図３】ＩＣチップ９０が原稿Ｐに搭載される様子の一例を示す図である。
【図４】プリントページ順制御部３００の機能的構成について説明するためのブロック図である。
【図５】ＣＰＵ２０１の処理内容の一例について説明するためのフローチャートである。
【図６】プリント順序の選択を促すメッセージ画面の一例を示す図である。
【図７】ＩＣチップに記録されたページ情報を書き換えるか否かの選択を促すメッセージ画面の一例を示す図である。
【図８】図６及び図７の画面の両者を統合した画面の一例を示す図である。
【図９】本発明の変形例におけるＡＤＦ１０の構成の一例を示す図である。
【符号の説明】
【００５４】
１０                      ＡＤＦ（自動原稿搬送装置）
３０                      スキャナ部
４０                      制御部
４１                      メモリユニット
４２                      印字処理部
５０                      プリンタ部
７０                      給紙部
９０                      ＩＣチップ
１００                    複写機
１１１                    ＩＣチップ読み取り部
１１２                    ＩＣチップ書込み部
１３１                    原稿一時保管部
１３２                    原稿搬送部
１３３                    原稿排出トレイ
１５２                    液晶タッチパネル
２０１                    ＣＰＵ
３００                    プリントページ順制御部
３０１                    ページ情報取得部
３０２                    ページ順判定部
３０３                    メッセージ報知制御部
３０４                    選択受付部
３０５                    ページ順制御部
【図１】
2007028307.tif 000003
【図２】
2007028307.tif 000004
【図３】
2007028307.tif 000005
【図４】
2007028307.tif 000006
【図５】
2007028307.tif 000007
【図６】
2007028307.tif 000008
【図７】
2007028307.tif 000009
【図８】
2007028307.tif 000010
【図９】
2007028307.tif 000011